(57)【要約】【課題】  、従来のフランジによるストッパーと同様に物理的に切削深さを規定する切削具用ストッパーにおいて、埋入穴を形成する予定の部位を歯科医の視界から必要以上に妨げることの無い切削具用ストッパーを提供する。【解決手段】  回転軸を有する切削具の該回転軸に嵌着され使用される切削深さ規制用のストッパーであって、貫通穴を有するストッパー本体の外径が、最終的なフィクスチャー埋入穴を形成するための切削具あるいは埋入されるフィクスチャーの最大径と等しいことを特徴とする歯科インプラント用の切削具用ストッパーである。そしてその具体的な高さは２〜２０ｍｍの円筒状であることが好ましい歯科インプラント用の切削具用ストッパーとする。【選択図】  図１
2009232989.tif 000002
【特許請求の範囲】
【請求項１】
回転軸を有する切削具の該回転軸に嵌着され使用される切削深さ規制用のストッパーであって、貫通穴を有するストッパー本体の外径が、最終的なフィクスチャー埋入穴を形成するための切削具の最大径あるいは埋入されるフィクスチャーの最大径と等しいことを特徴とする歯科インプラント用の切削具用ストッパー。
【請求項２】
高さが２〜２０ｍｍの円筒状である請求項１に記載の歯科インプラント用の切削具用ストッパー。
【発明の詳細な説明】
【技術分野】
【０００１】
本発明は、歯科インプラント治療において使用される切削具に装着して切削深さを規制したり切削深さの目安としたりするための切削具用ストッパーに関する。
【背景技術】
【０００２】
従来、欠如歯部における歯科補綴法としてブリッジによる方法と床義歯による方法とが一般に行われていた。近年では、欠如歯部の顎骨内に形成した埋入穴内に歯科用補綴物の維持安定装置となるインプラントフィクスチャーを埋入して天然歯における歯根の機能を代行させ、このインプラントフィクスチャーの口腔内側に歯科用補綴物の固定装置を連結固定して歯科用補綴物維持装置とし、この歯科用補綴物維持装置に歯科用補綴物を固定する歯科用インプラントの技術が開発され実施されている（例えば、特許文献１参照。）。
【０００３】
このインプラント治療においては顎骨にフィクスチャーを埋入する穴を正確に形成することが重要である。そのため、患者の顎骨のレントゲン写真を用意し、事前にフィクスチャーの埋入方向を決めてから切削具（ドリル）を使用して埋入穴を形成する方法が行われている。このとき埋入穴の深さは、切削具に例えばレーザーマークによって刻印された印を術者が確認すること、あるいは、切削具に形成されたフランジ状のストッパーによって規制されていた。
【０００４】
しかしながら、印刷やレーザーマーキング等の印のみでは切削深さを物理的に規制しないために切削深さの精度は術者の確認の技術に依存していた。また実際の治療では出血等によりこの印を確認し難いことが多く正確な切削深さを得られないことが多かった。
【０００５】
従来の切削工具に装着あるいは予め形成されていた切削深さ規制用のフランジは、埋入穴を形成する予定の治療部位を術者の視界から必要以上に妨げてしまうことがあった。具体的には、歯科インプラント治療においては、一般的に、形成する埋入穴よりも小さな径の切削具から徐々に太いサイズの切削具を用いて埋入穴が形成されるが、最初の切削具を用いる際に埋入穴の位置を正確に定めることが最も重要である。従来の切削具用ストッパーはフランジの径の大きさが特に定められておらず、フランジの径が必要以上に大きいと術者が切削具の先端を視認することができない場合が多く、その場合には正確な場所への切削開始が非常に難しいという問題があった。
【０００６】
【特許文献１】特開平１０−１０８８７１号公報
【発明の開示】
【発明が解決しようとする課題】
【０００７】
そこで本発明は、従来のフランジによるストッパーと同様に物理的に切削深さを規定する切削具用ストッパーにおいて、埋入穴を形成する予定の部位を術者の視界から必要以上に妨げることの無い切削具用ストッパーを提供することを課題とする。
【課題を解決するための手段】
【０００８】
本発明者等は前述の課題を解決すべく鋭意検討を重ねた結果、切削具用ストッパーの外径を最終的な埋入穴を形成するための切削具の最大径あるいは埋入されるフィクスチャーの最大径と等しくすると、最初の切削具を用いる際に切削具の先端が術者に見えない場合であっても、最終的な切削具あるいは埋入されるフィクスチャーの太さの切削具用ストッパーの径を頼りに実際に患者の口腔内で位置の微調整することができるため、結果として正確な位置を決定することが可能となることを見出したのである。
【０００９】
即ち本発明は、回転軸を有する切削具の該回転軸に嵌着され使用される切削深さ規制用のストッパーであって、貫通穴を有するストッパー本体の外径が、最終的なフィクスチャー埋入穴を形成するための切削具の最大径あるいは埋入されるフィクスチャーの最大径と等しいことを特徴とする歯科インプラント用の切削具用ストッパーである。そしてその高さが２〜２０ｍｍの円筒状であることが好ましい歯科インプラント用の切削具用ストッパーである。
【発明の効果】
【００１０】
本発明に係る切削具用ストッパーは、最初の切削具を用いる際に切削具の先端が術者に見えない場合であっても、正確な位置を決定できる歯科インプラント用の切削具用ストッパーである。
【発明を実施するための最良の形態】
【００１１】
以下、図面により本発明に係る切削具用ストッパーついて説明する。
図１は本発明に係る歯科インプラント用の切削具用ストッパーの実施例を示す斜視説明図。図２は本発明に係る歯科インプラント用の切削具用ストッパーを切削具に装着した状態を示す平面説明図。
【００１２】
図面中１は本発明に係る切削具用ストッパー本体であり、切削具２の回転軸２ａに係止され使用される。切削具２は切削部と回転軸を有する所謂歯科用ドリルの形状をなすものであれば特に制限無く使用できる。
【００１３】
本発明に係る歯科インプラント用の切削具用ストッパー１は、樹脂材料あるいは金属材料から成り、前記回転軸２ａと少なくとも一部が接する貫通穴１ａを有する。貫通穴１ａ内には切削具２の回転軸２ａに設けられた溝２ｃと確実に係止するように係止用の爪１ｃが付いていたり、金属製の場合にはスリット１ｂを備えていたりすると切削具に装着し易いので好ましい。また図示しないが、プラスチックやゴム等の柔軟性のある材料から成る係止材１ｂを併用しても良い。このとき、歯科で用いられる切削具は、加熱滅菌されるので切削具用ストッパー１の材質も耐熱性の高い樹脂、例えばポリプロピレン，ポリカーボネート，ポリアリレート，ポリスルホン，ポリフェニレンスルフィド，ポリエーテルエーテルケトン，ポリイミド樹脂，フッ素樹脂等であることが好ましく、特にポリアミドイミド，ポリエーテルエーテルケトンは２５０℃以上の耐熱性があるので好ましい。金属材料の場合は、従来から歯科で用いられているチタン，チタン合金，ステンレス等の金属材料が特に制限無く使用可能である。
【００１４】
本発明に係る歯科インプラント用の切削具用ストッパー１の形状は、図１に示すように略円筒状であることが好ましく、切削作業のし易さから回転軸２ａを中心とした回転体であることが好ましい。本発明に係る歯科インプラント用の切削具用ストッパー１はその外径が最終穴を形成するためのドリルの最大径あるいは埋入されるフィクスチャーの最大径と等しいことを特徴とする。具体的な切削具用ストッパー１の径は、直径２〜７ｍｍ程である。
【００１５】
歯科インプラント用の切削具用ストッパー１が埋入されるフィクスチャーの最大径と等しい場合には、埋入されるフィクスチャーの全てあるいはフィクスチャーの上部側と同じ外見であると、より正確なイメージを術者に与えられるので好ましい。また、図示しないが、埋入されるフィクスチャーの形状に合わせて歯科インプラント用の切削具用ストッパー１の先端（口腔内側）が細い形状であっても良い。
【００１６】
本発明に係る歯科インプラント用の切削具用ストッパー１は、その高さが２〜２０ｍｍであると確認し易く、埋入するフィクスチャーの形状や大きさもイメージし易いので好ましい。
【００１７】
本発明に係る歯科インプラント用の切削具用ストッパー１の使用方法は、図１に示した形態であれば、先ず切削具用ストッパー１の貫通穴１ａを切削具２の回転軸２ａの所定場所に装着し、溝や突起の間に嵌着させる。
【図面の簡単な説明】
【００１８】
【図１】本発明に係る歯科インプラント用の切削具用ストッパーの実施例を示す斜視説明図。
【図２】本発明に係る歯科インプラント用の切削具用ストッパーを切削具に装着した状態の一実施例を示す平面説明図
【符号の説明】
【００１９】
１  切削具用ストッパー
１ａ  貫通穴
１ｂ  スリット
１ｃ  係止用の爪
２  切削具
２ａ  回転軸
２ｂ  フランジ
２ｃ  溝
【図１】
2009232989.tif 000003
【図２】
2009232989.tif 000004